(57)【特許請求の範囲】
【請求項１】
前側に開口部を有する男性用のパンツ本体と、該パンツ本体の開口部の内側に宛がわれる受尿体とから成り、
前記パンツ本体は、鼠蹊部の上部幅よりも広い幅の前内側の上辺寄り部位に配着された面ファスナーと、該面ファスナーを被覆可能としたファスナーカバーとを備え、
前記受尿体は、下辺を鼠蹊部の上部幅と同程度の幅とし、上辺を下辺よりも広い幅とし、高さを鼠蹊部の上部から臍までと同程度とした逆さ台形状の吊り布部を備え、該吊り布部の上辺寄り部位には、前記パンツ本体の面ファスナーと着脱可能に対応した面ファスナーを外面側に備え、前記吊り布部の下部には、尿吸収体を収納した受尿袋を開口部を内側に向けて吊設し、前記吊り布部の上部寄りの部位から前記受尿袋の深さ中間部位にかけて縦割れ開口部を設けたことを特徴とする男性用排尿吸収パンツ。
【請求項２】
パンツ本体の面ファスナーを縦長に形成し、その長さ範囲で前記受尿体の面ファスナーの付着位置を自由に上下調節可能としたことを特徴とする請求項１に記載の男性用排尿吸収パンツ。
【請求項３】
ファスナーカバーの上辺をパンツ本体の前内側の上辺部位に縫い付け、該縫い付け部分の下方を開閉可能に垂れ下げたことを特徴とする請求項１又は２に記載の男性用排尿吸収パンツ。
【請求項４】
パンツ本体への面ファスナーの配着部位の幅を鼠蹊部の上部幅の２倍程度とし、受尿体の上辺の幅及び面ファスナーの配着部位を前記パンツ本体への面ファスナーの配着部位に対応させたことを特徴とする請求項１から３のうちいずれかに記載の男性用排尿吸収パンツ。
【請求項５】
パンツ本体の開口部を、内外に重なった布地部分の外側の縁を中間部よりも下部側を深く湾曲状に後退させた湾曲開口部としたことを特徴とする請求項１から４のうちいずれかに記載の男性用排尿吸収パンツ。
【請求項６】
受尿体の縦割れ開口部を、左右両側の縁を突付けて開閉可能としたことを特徴とする請求項１から５のうちいずれかに記載の男性用排尿吸収パンツ。
【請求項７】
受尿袋を、防水性を備えた布とするか又は受尿袋の内部に防水シートを張設したことを特徴とする請求項１から６のうちいずれかに記載の男性用排尿吸収パンツ。
【請求項８】
受尿袋の開口部に、開口径を途中まで収縮させる伸縮体を装着したことを特徴とする請求項１から７のうちいずれかに記載の男性用排尿吸収パンツ。
【請求項９】
受尿袋の内部を、開口部の径よりも広径に形成したことを特徴とする請求項１から８のうちいずれかに記載の男性用排尿吸収パンツ。
【請求項１０】
受尿袋の形成前の生地の展開図が、前記吊り布部の下辺を上辺とする台形部と、該台形部の下辺を上辺とする逆さ台形部と、該逆さ台形部の下辺を上辺とする縦長逆さ台形部とが順に繋がった形状を成し、
該受尿袋の形成が、前記生地の前記逆さ台形部の両斜辺と前記縦長逆さ台形部の両斜辺とを縫い合わせて行われ、
該受尿袋の開口部の縁が、前記吊り布部の下辺の両側に、前記台形部の右側斜辺と、前記縦長逆さ台形部の下辺と、前記台形部の左側斜辺とが順に繋がり、
前記受尿袋の開口部が、前記吊り布部の下部に内側に向かって形成されたことを特徴とする請求項１から９のうちいずれかに記載の男性用排尿吸収パンツ。
【発明の詳細な説明】
【技術分野】
【０００１】
本発明は、失禁などにより排泄された尿でズボン等を濡らしてしまうのを防止するための男性用排尿吸収パンツに関する。
【背景技術】
【０００２】
人が老化すると、尿の排出を抑える括約筋の衰えによって残尿が増え、その残尿が不本意に排出されたり、病的な迫性尿失禁等によって、尿が不意に排泄されてしまうことがある。
排泄された尿は、パンツやズボン・スラックス等を濡らし、多量に排出されると足を伝って床に垂れ出てしまうため恥ずかしい思いをしてしまう。
このため、尿がパンツから流出するのを防止するための技術が各種提案されている。
例えば、下記特許文献１には、股間部の前に吸収シートを収納する収容ポケットを設けた男性用のパンツ本体型下着の提案がなされている。
又、下記特許文献２には、下着の開口部の内側に陰茎を収納可能なカップ状の袋を備えた男性用下着の提案がなされている。
【先行技術文献】
【特許文献】
【０００３】
【特許文献１】特開２００６−３２２１００号公報
【特許文献２】特開２０１１−２１４１６７号公報
【発明の概要】
【発明が解決しようとする課題】
【０００４】
上記特許文献１のパンツ型下着は、日常の排尿時にカバーを左か右に寄せなければならないので陰茎を取り出すことが困難となる。又尿の収容ポケットがパンツの外側に装着されているため、ズボンを穿くと股間の前部分が不自然に膨らみ、体裁が悪く恥ずかしい思いをする。
又、上記特許文献２の男性用下着は、尿の収容ポケットは下着と一体のため、下着の交換や洗濯を頻繁に行わなければならない。又収容ポケットの位置が下着に固定されているため、個人差や、下着の着方で陰茎の収納位置が合わなくなり、収容ポケットから陰茎が外れてズボンを濡らしてしまうおそれがある。
特に大人は、乳児のオムツのように感じていまい、尿収容ポケットをパンツに設けること自体に心理的な抵抗があった。
【０００５】
本発明は上記事情に鑑みてなされたもので、不意に排泄された尿をパンツ内に装着した袋内に漏れなく確実に収納可能とし、日常の意識的な用便においてはパンツの開口部から通常通りの陰茎の出し入れを行うことができ、更には、尿を入れる袋を容易に取り外し可能とすることで人前での羞恥心を解消することが可能となる男性用排尿吸収パンツを提供することを目的とするものである。
【課題を解決するための手段】
【０００６】
本発明の男性用排尿吸収パンツは、上記課題を解決するため以下の構成とした。
即ち、請求項１の発明は、前側に開口部を有する男性用のパンツ本体と、該パンツ本体の開口部の内側に宛がわれる受尿体とから成る。
前記パンツ本体は、鼠蹊部の上部幅よりも広い幅の前内側の上辺寄り部位に配着された面ファスナーと、該面ファスナーを被覆可能としたファスナーカバーとを備える。
前記受尿体は、下辺を鼠蹊部の上部幅と同程度の幅とし、上辺を下辺よりも広い幅とし、高さを鼠蹊部の上部から臍までと同程度とした逆さ台形状の吊り布部を備え、該吊り布部の上辺寄り部位には、前記パンツ本体の面ファスナーと着脱可能に対応した面ファスナーを外面側に備え、前記吊り布部の下部には、尿吸収体を収納した受尿袋を開口部を内側に向けて吊設し、前記吊り布部の上部寄りの部位から前記受尿袋の深さ中間部位にかけて縦割れ開口部を設けたことを特徴とする。
【０００７】
請求項２に記載の発明は、上記発明において、前記パンツ本体の面ファスナーを縦長に形成し、その長さ範囲で前記受尿体の面ファスナーの付着位置を自由に上下調節可能としたことを特徴とする。
【０００８】
請求項３に記載の発明は、上記各発明において、前記ファスナーカバーの上辺をパンツ本体の前内側の上辺部位に縫い付け、該縫い付け部分の下方を開閉可能に垂れ下げたことを特徴とする。
【０００９】
請求項４に記載の発明は、上記各発明において、前記パンツ本体への面ファスナーの配着部位の幅を鼠蹊部の上部幅の２倍程度とし、受尿体の上辺の幅及び面ファスナーの配着部位を前記パンツ本体への面ファスナーの配着部位に対応させたことを特徴とする。
【００１０】
請求項５に記載の発明は、上記各発明において、前記パンツ本体の開口部を、内外に重なった布地部分の外側の縁を中間部よりも下部側を深く湾曲状に後退させた湾曲開口部としたことを特徴とする。
【００１１】
請求項６に記載の発明は、上記各発明において、前記受尿体の縦割れ開口部を、左右両側の縁を突付けて開閉可能としたことを特徴とする。
【００１２】
請求項７に記載の発明は、上記各発明において、前記受尿袋を、防水性を備えた布とするか又は受尿袋の内部に防水シートを張設したことを特徴とする。
【００１３】
請求項８に記載の発明は、上記各発明において、前記受尿袋の開口部に、開口径を途中まで収縮させる伸縮体を装着したことを特徴とする。
【００１４】
請求項９に記載の発明は、上記各発明において、前記受尿袋の内部を、開口部の径よりも広径に形成したことを特徴とする。
【００１５】
請求項１０に記載の発明は、上記各発明において、前記受尿袋の形成前の生地の展開図が、前記吊り布部の下辺を上辺とする台形部と、該台形部の下辺を上辺とする逆さ台形部と、該逆さ台形部の下辺を上辺とする縦長逆さ台形部とが順に繋がった形状を成し、
該受尿袋の形成が、前記生地の前記逆さ台形部の両斜辺と前記縦長逆さ台形部の両斜辺とを縫い合わせて行われ、該受尿袋の開口部の縁が、前記吊り布部の下辺の両側に、前記台形部の右側斜辺と、前記縦長逆さ台形部の下辺と、前記台形部の左側斜辺とが順に繋がり、前記受尿袋の開口部が前記吊り布部の下部に内側に向かって形成されたことを特徴とする。
【発明の効果】
【００１６】
本発明は以下の如き効果を奏する。
即ち、パンツ本体の上部に設けた面ファスナーの配着範囲が鼠蹊部の上部幅より幅が広く、その面ファスナーに付着させる受尿体の上部の面ファスナーの配置も同じく幅が広いので、その広い上部で連結して吊られた受尿体の受尿袋がパンツ本体の中のあって位置が左右に大きく移動することなく、常に最適位置に決められる。このため、受尿袋に入れた陰茎が該受尿袋から容易に外れてしまうことがない。
又、パンツ本体の上部の面ファスナーに対し、受尿体の面ファスナーをその長さ範囲で上下移動可能とすることによって、パンツ本体に対する受尿袋の装着位置の調節が容易に行え、使用者の個人差や使用感に応じて受尿袋の位置を使用者の陰茎及び陰嚢に対して最適位置に調節することが可能となる。そして、漏らしてしまった尿は確実に受尿袋内に溜まり、受尿袋内の尿吸収体に吸収され外部には漏れ出さない。
この結果、不意に漏らした尿でズボンを濡らすのを防止することが可能となる。
又、日常の意識的な排尿においては、受尿体の縦割れ開口部を通してパンツ本体の開口部から陰茎の出し入れで通常通りに行うことが可能となる。
【００１７】
前記受尿体はパンツ本体に対して前記吊り布部の設けた面ファスナーで容易に着脱することが可能となり、尿漏れの心配がない場合には受尿体を外してパンツ本体のみを使用することもできる。特に尿漏れ防止を装着していることに対する男としての羞恥心で心理的に抵抗の強い人にあっては、パンツ本体のみで羞恥心から開放された状態、即ち、パンツ本体のみの態様で羞恥心を解放されて外出することが可能となり、尿意を感じたらトイレ等で受尿体を装着し即応可能となる。
又、長時間外出する時などには、受尿体を数枚携帯して行けば交換して使用できるので安心である。
前記受尿体を外して使用する際には、パンツ本体の設けた面ファスナーはファスナーカバーで覆われるので、肌に向けて剥き出し状態とはならず、皮膚が面ファスナーに当たって痛みを感じたり、面ファスナーで肌を擦って傷付けたりすることもない。
又、前記受尿体の吊り布部と受尿袋の生地をパンツ本体の生地と同じものを用いれば、装着した受尿体がパンツ本体と違和感なく快適に使用することができる。又、汚れたら受尿袋から尿吸収体を取り出せば受尿体はパンツ本体と一緒に洗濯することも可能となる。
【００１８】
請求項２に記載の発明においては、パンツ本体の上部の縦長とした面ファスナーに対し、前記受尿体の面ファスナーを、該パンツ本体の面ファスナーの縦方向の長さ範囲内で自由に上下移動させることが可能となる。
即ち、前記パンツ本体に対する前記受尿袋の装着位置が容易に調節可能となり、使用者の個人差や使用感に応じて使用者の陰茎及び陰嚢に対する最適位置に受尿袋の位置を使用者自身が自由に調節可能となる。
そして、漏らした尿が確実に受尿袋内に受けられようにしたことで、不意に漏らした尿でズボンを濡らしたり、床に垂れ落ちるのが確実に防止可能となる。
【００１９】
請求項３に記載の発明においては、前記ファスナーカバーは捲り上げして開閉できるので、吊り下げた受尿体のパンツ本体への着脱が容易となる。
【００２０】
請求項４に記載の発明においては、前記パンツ本体への面ファスナーの配着部位と受尿体の面ファスナーの位置を対応させ、その幅を鼠蹊部の上部幅の２倍程度に広くしたので、その広い上部に連結して吊られた受尿体の位置がパンツ本体の中で左右に大きく移動することなく、常に最適位置になるように決められる。このため、受尿袋に入れた陰茎が該受尿袋から外れてしまうことがなくなる。
【００２１】
請求項５に記載の発明においては、前記パンツ本体の湾曲開口部が外側の縁を中間部よりも下部側を深く湾曲状に後退させた開口部なので、布が二重に重なった開口部の重なり部分を中間部よりも下部側を最小にすることができるため受尿袋内の陰茎が出し入れ容易となる。このため、急な催した便意に素早く対応することができる。
【００２２】
請求項６に記載の発明においては、前記受尿体の縦割れ開口部を縁縫いすると共に開口縁は突付けられているので、常には受尿袋の開口部が閉鎖される。しかも開口部は単に突付けられたものなので開き易く、前記受尿袋に納めた陰茎を円滑に引き出すことが可能となる。
【００２３】
生地の防水性がない場合では、排尿の量が多いと、尿吸収体の表面から滲み出た尿が受尿袋を濡らし、更にはパンツ本体及びズボンまで濡らすことがある。しかし、請求項７に記載の発明では、前記受尿袋を、防水性を備えた布とするか又は受尿袋の内部に防水シートを張設することで尿吸収体に吸収されて溜まった尿を内部に閉じ込め、ズボンを濡らしてしまうのを防止できる。
【００２４】
請求項８に記載の発明においては、前記受尿袋の開口部に装着した伸縮体が収縮して受尿袋の開口径を絞ったので、活発に身体を動かしても、前記受尿袋に納めた陰茎及び陰嚢が受尿袋内にから容易には外れない。
【００２５】
請求項９に記載の発明においては、前記受尿袋の内部が開口部の径よりも広径となるので、パンツ本体が左右に活発に振られても、前記受尿袋の狭まった開口部から尿吸収体が食み出したり、外に脱落したりするのを防止でき、安心して使用できる。
【００２６】
請求項１０に記載の発明においては、平面的な布の生地を立体的に膨らませ、内部が広い受尿袋を形成することができ、且つその開口部を内側に向けて形成することができる。そして、前記受尿袋中に尿吸収体と陰茎及び陰嚢とを余裕を持って収納することが可能となる。
又、吊り布部の下部は鼠蹊部の上部幅と同程度の幅が広く、且つ内側に向けた開口部の上部の一部が、前記受尿体の吊り布部の平面的な下部で形成されるので、該受尿袋への陰茎の出し入れを円滑に行うことが可能となる。
【図面の簡単な説明】
【００２７】
【図１】本発明の正面から見た斜視図である。
【図２】本発明の背面から見た斜視図である。
【図３】受尿体を外した状態のパンツ本体の背面から見た斜視図である。
【図４】尿吸収体及び防水シートを装着する前の受尿体の正面図である。
【図５】図４に示す受尿体の背面図である。
【図６】（イ）が受尿体の生地の製作展開図、（ロ）が伸縮体の斜視図である。
【発明を実施するための形態】
【００２８】
本発明の男性用排尿吸収パンツの実施形態を、以下本発明の実施例を示す図に基づいて説明する。
図１は、本発明の男性用排尿吸収パンツの全体を示す正面から見た斜視図である。
該図１中、符号１は前側に開口部２を有する下着としての男性用のパンツ本体１であり、符号５は該パンツ本体１の開口部２の内側に宛がう受尿体５である。
【００２９】
先ず、前記パンツ本体１の説明をする。
図１に示すように、前記パンツ本体１は前側に開口可能に生地を重ね合わせ指で開く開口部２を備える。
そして、受尿体５を外した状態を示す図３に示すように、パンツ本体１の前記開口部２の前内側の上辺１ａ寄り部位に、鼠蹊部の上部幅より広い範囲に面ファスナー８を配着する。その範囲は、鼠蹊部の上部幅の２倍程度の広さ範囲に面ファスナー８を配着することが好ましく、その場合の範囲は胴回り長さの１／３〜１／４程度の長さに相当する。
【００３０】
本発明で使用する語彙の「鼠蹊部」とは、左右の大腿部に付け根の内側にある下腹部の中央の逆３角形部分のことであり、股関節の前方に当たる部分を指す言葉である。
本発明では、この鼠蹊部の上部間隔が各部の基準となる。一般的な大人のその幅は約１３ｃｍである。
【００３１】
又、前記パンツ本体１の前内側の上辺１ａ部位に、前記面ファスナー３の全てが被覆可能となるように、ファスナーカバー４をその上辺部を縫い付けて垂れ下げる。
該ファスナーカバー４は、前記面ファスナー３に被せることで、パンツ本体の内側に設けた面ファスナー３が、直接肌に当たるを避けることが可能となる。この結果、面ファスナー３による皮膚の痛みをなくし、肌を傷付けることが防止可能となる。
【００３２】
前記鼠蹊部の上部幅を１３ｃｍとすると、その長さを基準に、前記面ファスナー８を設けるパンツ本体１の前側の内側上辺１ａの長さ範囲を決めることができる。即ち、該前記面ファスナー８の配設範囲は１３ｃｍより広く、その最適な長さは、前記鼠蹊部の上部幅の２倍の２６ｃｍである。
【００３３】
前記面ファスナー３は、図１では、パンツ本体１の胴回りに入れたゴムの伸縮の自由を保つため、パンツ本体１の前内側の上辺１ａの２６ｃｍ幅の範囲内に、中央部３ａと左右両側３ｂ、３ｃの３箇所に分割し、それぞれ横幅約２ｃｍで縦幅５ｃｍの縦長の面ファスナー３を配着した態様を示している。
この他に、面ファスナー３は、ゴムの伸縮の自由度を保つことが可能な程度の高い柔軟性を有した面ファスナー３であれば、長さ２６ｃｍ程度で幅広な帯状の面ファスナー３を１本、又は、長さ２６ｃｍ程度で細い帯状の面ファスナー３を上下に間隔を置いて複数本設けても良い。
【００３４】
前記パンツ本体1は下着であるので、ズボン、スラックス等の内側に着るが、該ズボン、スラックスの開口部は前記パンツ本体１の開口部２と重なる位置に対応させて陰茎が出し入れされる。いずれの開口部も生地が前後に重なり合って閉じられるようになっており、前記パンツ本体1側の開口部２は陰茎が出し難い。
このため、陰茎が出しやすくなるように、前記パンツ本体１の開口部２の外側の開口部を中間部よりも下部側を深く湾曲状に後退させ、重なり部分を少なくした湾曲開口部１３とする。この結果、開口部２から陰茎まで指を差し込み易くなり、ズボン、スラックスの開口部から円滑に陰茎を出し入れできるようになる。
【００３５】
該パンツ本体１の素材は、一般的に使用されている木綿や合成繊維等であり、該ファスナーカバー４の生地も、パンツ本体の素材と同様の木綿や合成繊維等の素材を用いれば違和感なく快適に使用することができ、汚れたら一緒に洗濯することもできる。
なお、ファスナーカバー４の生地もパンツ本体の生地と同じものを用いれば、パンツ本体と違和感なく快適に使用することができる。
【００３６】
次に前記受尿体５の説明をする。
前記受尿体５は、図４及び図５に示すように、上部の吊り布部６と、これに連結した下部の受尿袋７とから成る、図１に示すように、前記男性用のパンツ本体１の開口部２の内側に宛がわれる。
前記吊り布部６は、上に広い逆さ台形状を成し、下部の幅Ｗは鼠蹊部の上部幅程度の幅に形成する。
上部の幅は下部よりも広くし、前記パンツ本体１の面ファスナー３の配設範囲に合わせって横幅が決まる。好ましくはパンツ本体１の面ファスナー３の好ましい形態である鼠蹊部の上部幅の２倍程度の幅である。
又、上下幅Ｈについては、大人の臍から鼠蹊部の上部までと同程度の長さとする。
即ち、好ましい寸法は、下部の幅Ｗは約１３ｃｍ、上部の幅Ｖは約２６ｃｍ、上下幅Ｈは約１５ｃｍである。
このように、上部を下部よりも２倍程の幅広くしたのは、上部でパンツ本体１に吊られた吊り布部６の位置が左右に移動せず、パンツ本体１内に位置を、決まった位置に安定的に保持させるためである。
【００３７】
そして、前記吊り布部６の上部には外側面に、前記パンツ本体１に設けた面ファスナー３に着脱可能に対応した面ファスナー８を設ける。
図４では、前記面ファスナー８は、前記パンツ本体１の面ファスナー３に対応させて、中央部８ａと左右両側８ｂ、８ｃの３箇所に設け、その夫々を横幅約３ｃｍで縦幅２ｃｍとする横長の面ファスナー８を配着した態様を示す。
該面ファスナー８は前記ファスナーカバー４を捲り上げ、前記パンツ本体１の上下に大きい幅のある面ファスナー３に対して着脱しつつ、記受尿体５を上下に移動して使用者が最適位置で使用できるように調節可能とする。
例えば、図２に示すように、パンツ本体１の面ファスナー３が縦幅５ｃｍの場合、該吊り布部６は上下に５ｃｍ程度移動させることができるので、受尿袋７の位置を使用する人に合った位置になるように使用者が自ら自由に調節することが可能となる。
なお、前記吊り布部６の生地は、パンツ本体１の素材と同様の木綿や合成繊維等の素材を用いると、使用中の素材的違和感が殆どないので好ましい。
【００３８】
そして、図４に示すように、前記吊り布部６の下部には開口部が内側に開いた受尿袋７を吊り下げ、該受尿袋７の中には柔らかい尿吸収体１０を収納する。
前記受尿袋７の大きさは、中に前記尿吸収体１０を入れたとき、陰茎及び陰嚢も同時に収納可能なサイズに形成する。
【００３９】
前記受尿袋７は、開口辺を周方向に収縮するゴム紐製の伸縮体１１を少し伸ばした状態に装着し、該伸縮体１１が縮んで開口部が少し小さく絞られた状態に設けることができる。
この形態では、前記伸縮体１１が収縮すると該受尿袋７の開口径が小さく絞られるので、身体を活発に動かしても前記受尿袋７に納められた尿吸収体１０及び陰茎が受尿袋７内にから外れてしまうことがなくなる。
【００４０】
更に、前記受尿袋７の内部は、開口部の径よりも広径に形成することができる。
この形態の受尿袋７では、身体活動中において、パンツ本体１が活発に振られても、前記受尿袋７の狭まった開口部から尿吸収体１０がズレ出たり、脱落したりせず、又、余裕を持って尿吸収体１０及び陰茎及び陰嚢を中に収納することが可能となる。
なお、前記受尿袋７も前記吊り布部６の素材と同様の木綿や合成繊維等の素材を用いて袋を形成すると使用中の素材的違和感が殆どなくなるので快適な使用が可能となる。
【００４１】
前記受尿袋７の中に入れる尿吸収体１０は、高吸水剤を含ませた布、不織布又は紙を使用する。
高吸水剤としては、ポリアクリル酸塩系、ポリビニールアルコール系、ポリアクリルアミド系、ポリオキシエチレン系などの合成ポリマー系が使用できるが、中でもポリアクリル酸ナトリウム系の高吸水性ポリマーは吸水性能が極めて高く使用に最適である。
該尿吸収体１０に含まれる高吸水剤は効率良く多量の尿を吸収するので、排尿１回分程度は充分に吸収され、排泄された尿が受尿袋７内から外に漏れ出さない。
【００４２】
又、前記受尿袋７は、防水性を有する布とすることができる。
更に、前記受尿袋７の内部に防水シート１２を、図４中の一点鎖線で示すように、前記尿吸収体１０を包むように張設することができる。
これらの防水対策を施した場合、前記尿吸収体１０内に吸収されて溜まった尿が、その防水性によって前記受尿袋７の中から外に尿が滲み出るのが防止され、前記パンツ本体１及びズボンを濡らさないようにすることが可能となる。
【００４３】
そして、柔らかい尿吸収体１０が尿を吸収する前の乾いた状態では、受尿袋７及びその中の尿吸収体５はパンツ本体１の中にあって、股間下中央に吊られて押し潰され状態となっているのでズボンの股間前側が大きく膨らむことはなく、このため周囲の他人の目が気にならならず、羞恥心が解消される。
【００４４】
更に、該吊り布部６の上辺寄りの部位から下へ、下部の受尿袋７の中間部位まで切り割りして、前記パンツ本体１の開口部２に重なるように縦割れ開口部９を設ける。
本発明で用いる縦割れ開口部９の下端部となる「受尿袋７の中間部位」とは、受尿袋７の開口部の部位でも底部の部位でもなく、受尿袋７の開口部から底部までの間において、前記縦割れ開口部９から陰茎が自然に飛び出すことがなく、且つ陰茎を指で容易に取り出すことが可能となる部位を意味する。
陰茎を指で容易に取り出すことが可能となるのは、パンツ本体１の面ファスナー３対して、前記受尿体５の面ファスナー８を最上部にまで競り上げて該受尿体５をパンツ本体１に吊り下げたとき、前記縦割れ開口部９の下端は、パンツ本体１の該開口部２の下端部よりも下側となる部位である。
この場合には前記縦割れ開口部９の下端の部位は、前記受尿体５を上下に調節してもパンツ本体１の該開口部２の下端部よりも上側となることはない。
前記縦割れ開口部９の下端をパンツ本体１の該開口部２の下端部よりも下側となるようにした理由は、パンツ本体１の該開口部２から前記縦割れ開口部９に容易に指を入れることができ、受尿袋７中の陰茎を指で容易に取り出すことが可能となるからである。
【００４５】
しかし、パンツ本体１の開口部２の下端部よりもパンツ本体１の開口部２の下端を上側となる位置とした場合には、パンツ本体１の開口部２の下部に入れた指が前記受尿袋７の側面に突き当たり、さらに強引に指を差し込むと前記受尿袋７の底面側に指が回り込んでしまい、前記縦割れ開口部９に指を入れるのが困難となる。
又、前記縦割れ開口部９を、受尿袋７の底部まで深く切り込むと、該縦割れ開口部９から前記尿吸収体１０が抜け出し、使用中に受尿袋７から外れて落下してしまうおそれがある。
このため、前記縦割れ開口部９の下端の部位は、受尿袋７の開口部から下側へ離れ、且つ受尿袋７の底部から上側に離れ、陰茎が自然に飛び出すことがない可及的に深い中間部位とすることが最良の態様である。
【００４６】
前記該縦割れ開口部９の開口縁は、縁縫い処理を施し、該開口縁を左右から突付けて開閉可能に形成する。
縁縫い処理は、布地に綻びを防止し、且つ開口部に切っ放しの状態よりも縁に高い強度を持たせることで自然に開口部の閉鎖がなされるようにするためである。これにより常時は開口が閉じられて自然に開いてしまうことが避けられる。しかも開口部は突付けたものなので指で開き易く、前記受尿袋に納めた陰茎が受尿袋内にから容易に摘み出せるようになる。
なお、縁縫い処理の方法は、袋縫い、二つ折り縫い、かがり縫い等が有効である、
【００４７】
次に、前記受尿体５の吊り布部６及び受尿袋７を生地から製作する場合の例を示す。
図６の生地の展開図である（イ）に示すように、生地の最上部の逆さ台形部は吊り布部６の部分となる部分である。吊り布部６の上辺２６の幅Ｖは２６ｃｍ、下辺の幅Ｗは鼠蹊部の上部幅である１３ｃｍとし、その高さＨを１６ｃｍとする。
【００４８】
前記吊り布部６の上辺２６及び斜辺部分は、ほころびを防ぐため辺縁を細く折り返して縁縫いする。
該吊り布部６の下部は、そのまま下の前記受尿袋７を形成するための台形部Ａに繋げる。
【００４９】
そして、前記受尿袋７の形成前の生地は、その展開図である図６の（イ）に示すように、前記吊り布部６の下辺を上辺とする台形部Ａと、該台形部の下辺２１を上辺３１とする逆さ台形部Ｂと、該逆さ台形部の下辺を上辺とする縦長逆さ台形部Ｃとが順に繋がった形状とする。
上記各部の寸法は、例えば、前記台形部Ａは、高さ５ｃｍ、上辺１３ｃｍ、下辺２５ｃｍとし、前記該逆さ台形部は、高さ６ｃｍ、上辺２５ｃｍ、下辺１３ｃｍとし、前記縦長逆さ台形部Ｃは、高さ１１ｃｍ、上辺１３ｃｍ、下辺１０ｃｍとすることができる。
【００５０】
この生地による前記受尿袋７の形成は、前記縦長逆さ台形部Ｃ部分を上に折り返し、該生地の前記逆さ台形部Ｂの両斜辺３２、３３とその下の前記縦長逆さ台形部Ｃの両斜辺３４、３５とを縫い合わせて上に開口部を有する袋が形成される。
上記の如き各部の例示寸法とすると、前記逆さ台形部Ｂの両斜辺３２、３３よりも前記縦長逆さ台形部Ｃの両斜辺３４、３５の方が長くなり、正確には合致しなくなるが、この寸法差は前記縦長逆さ台形部Ｃの両斜辺３４、３５の中間を絞るように縮めることで全体の長さを一致させることが可能となる。その結果、前記受尿袋７の中間に膨らみ部分を生み出すことが可能となる。
【００５１】
前記生地を展開した状態の前記受尿袋７の開口部の縁は、右側の台形部Ａの下部コーナー２４と縦長逆さ台形部Ｃの下部コーナー３７とが結ばれ、左側の台形部Ａの下部コーナー２５と長方形部Ｃの下部コーナー３８とが結ばれて、前記吊り布部６の下辺の両側に、前記台形部Ａの右側斜辺２２と、前記縦長逆さ台形部Ｃの下辺３６と、前記台形部Ａの左側斜辺２３とが連続して繋がり、図４に示すように、前記受尿袋７の上側の開口部は布面で形成され、下側の開口部はその縁が前記吊り布部６の下部に垂れるように内側に向かって形成される。
【００５２】
又、前記吊り布部６の上辺２６付近の中央から縦に前記台形部Ａの下辺部近くまで左右に割った縦割れ開口部９を設ける。
即ち、前記縦割れ開口部９はその下部を、形成された前記受尿袋７の中に入り込むように前記台形部Ａの下辺部近くまで切り込んで設けられる。
この前記縦割れ開口部９の切り込は、前記受尿袋７の深さ中間部位まで開口されるので、前記受尿袋７内に納められた陰茎は前記受尿袋７内から容易に取り出せるようになる。
【００５３】
図６は、前記台形部Ａの下辺２１と逆さ台形部Ｂ及の上辺３１とが縫い付けられた態様を示している。
又、前記台形部Ａと一体の前記吊り布部６の生地は、縦割り開口部９から左右に分割し、両側の縁を縁縫いしてその縁の左右を突き付け、生地の上下端部部分のみを縫い合わせてその間に開口部を設けて一体化することもできる。
【００５４】
なお、図６の（イ）では、台形部Ａの下辺２１と逆さ台形部Ｂの上辺３１とを縫い合わせた態様を示しているが、前記吊り布部６及び前記受尿袋７を形成する前記台形部Ａ、逆さ台形部Ｂ、縦長逆さ台形部Ｃとは全体を一枚の生地で形成することも可能である。
【００５５】
又、縦長逆さ台形部Ｃの斜辺３４、３５の長さは前記逆さ台形部Ｂの斜辺３２、３３より長く形成し、且つ縦長逆さ台形部Ｃの下辺より前記逆さ台形部Ｂの下辺（縦長逆さ台形部Ｃの上辺）を長くすることで、前記逆さ台形部Ｂの下辺部分は受尿袋７の底部となるので、開口部の径よりも底部の径をより大きく形成することが可能となり、同時に内側に開いた前記受尿袋７の開口部下側部分の過度な垂れ下がりが防止される。後述の伸縮体１１を施すことでも開口部下側部分の過度な垂れ下がりが防止できるが、この場合、開口径を前記伸縮体１１で絞り過ぎると布に収縮皺が塊のように発生してしまい、このことが使用者に違和感を生じさせることとなるので好ましいものではない。
【００５６】
そして、前記受尿袋７の開口辺２２、２３及び３６となる箇所は、縁を袋縫いし、該袋内に図６の（ロ）に示すゴム紐製の伸縮体１１を少し伸ばした状態に貫通させ、これを更に縫い付ける。
この結果、前記受尿袋７が完成したとき、伸縮体１１が少し縮んで開口部が小さく絞られることとなる。しかし、前記受尿袋７の開口部の上側は前記吊り布部６の下部で形成され、この部分には伸縮体１１は施されない。
前記吊り布部６の下部の幅Ｗは鼠蹊部の上部幅と同じ幅であり、この部分が開口部の周囲上部の広い幅を占める。
該受尿袋７の開口部の上部が吊り布部の下部の伸縮体１１がない平面的な部分を共有した状態となるため、受尿袋の開口部の縁に陰茎の先端が突き当たることなく円滑に出し入れが可能となる。
【００５７】
次に本発明の使用方法について説明する。
先ず、図４に示すように、受尿袋７の中に柔らかい紙製尿吸収体１０ａをその中央を凹ませて中央部に空間を形成させて収納する。
そして、図３に示すように、前記パンツ本体１のファスナーカバー４を開いて、面ファスナー３を露出させ、前記受尿体５の外側に向けて設けた面ファスナー８をパンツ本体１側の面ファスナー３に付着させ、受尿袋７の開口部を内側に向けて、受尿袋７を垂れ下げ、前記ファスナーカバー４を下ろす。
この際、パンツ本体１の面ファスナー３に対して受尿袋７の面ファスナー８を上下に調節して最適位置に合わせる。
すると、図２に示すように、該吊り布部６の上辺寄り部分が覆われて、パンツ本体１の前側に受尿体５が吊り下げられた状態となり、該パンツ本体１に対して、該吊り布部６が広幅で支持され、受尿袋７がパンツ本体の略中央部に位置決めされる。
そして、通常のパンツ本体と同様に足を入れて穿くき、この際、同時に前記受尿袋７の中に陰茎及び陰嚢を差し込み、次にズボンを穿く。
【００５８】
日常的には、尿意を催したら、ズボンの開口部及びパンツ本体１の開口部２から指を差し込み縦割れ開口部９を開けて陰茎の出し入れをして排尿する。
不意に漏らしてしまったら、陰茎は尿吸収体の中に納められているので、排泄された尿は全て尿吸収体に吸収される。この際、紙製尿吸収体１０ａの中には吸水剤が含まれているので確実に尿が吸収される。
前記受尿袋７を、防水性を有する布で作るか又は前記受尿袋７の内部に防水シート１２を張設できるようにすれば、尿吸収体１０が防水面で囲われるので、吸収され溜まった尿が前記受尿袋７から外に滲み出ることが防止でき、パンツ本体１やズボンを濡らすことが避けられる。
その後、尿を吸収した尿吸収体１０は前記受尿袋７から抜き取って捨て、新しい尿吸収体１０と交換する。
このため、前記尿吸収体１０は交換用に多数用意しておくと良い。
【００５９】
なお、尿を吸収する尿吸収体１０を布製とし、受尿袋７内に縫い付けた態様では、前記尿吸収体１０だけを交換することはできないので、前記受尿体５の全体を交換することなる。このため前記受尿体５を交換用に多数用意しておくと良い。
【産業上の利用可能性】
【００６０】
本発明の男性用排尿吸収パンツは、トランクスやブリーフ等の男性用下着に利用することも可能である。
又、前記受尿体の面ファスナー部分を粘着テープに替えることも可能である。
【符号の説明】
【００６１】
１    パンツ本体
１ａ  前内側の上辺
２    開口部
３    面ファスナー
３ａ  中央の面ファスナー
３ｂ  右側の面ファスナー
３ｃ  左側の面ファスナー
４    ファスナーカバー
５    受尿体
６    吊り布部
７    受尿袋
８    面ファスナー
８ａ  中央の面ファスナー
８ｂ  右側の面ファスナー
８ｃ  左側の面ファスナー
９    縦割れ開口部
１０  尿吸収体
１０ａ  紙製尿吸収体
１１  伸縮体
１２  防水シート
１３  湾曲開口部
２２  台形部の左側の斜辺
２３  台形部の右側の斜辺
３２、３３  逆さ台形部の斜辺
３４、３５  縦長逆さ台形部の斜辺
３６  長方形部の下辺
Ｗ    吊り布部の下部の幅
Ｖ    吊り布部の上部の幅
Ｈ    吊り布部の高さ
Ａ    台形部
Ｂ    逆さ台形部
Ｃ    縦長逆さ台形部
【要約】
【課題】日常では通常通りの排尿ができ、不意の排尿を確実に受尿及び吸収し、外部には尿が漏れ出ない男性用排尿吸収パンツを提供する。
【解決手段】開口部２を有する男性用のパンツ本体と、パンツ本体１の開口部２の内側に宛がわれる受尿体５とから成り、パンツ本体１は、前内側の上辺１ａ寄り部位に配着された面ファスナー３と、面ファスナー３の全てを被覆可能としたファスナーカバー４とを備える。受尿体５は、下辺を鼠蹊部の上部幅と同程度の幅とし、上辺を該下辺の約２倍の幅とし、高さを鼠蹊部の上部から臍までと同程度とした逆さ台形状の吊り布部６を備え、吊り布部６の上辺寄り部位には、パンツ本体１の面ファスナー３と着脱可能に対応した面ファスナー８を外面側に備え、吊り布部６の下部には、尿吸収体１０を収納した受尿袋７を開口部を内側向きに吊設し、吊り布部６の上部中央からから受尿袋７の深さ中間部位まで縦割れ開口部９を設ける。
【選択図】    図１【図１】
0005452743.tif 000002
【図２】
0005452743.tif 000003
【図３】
0005452743.tif 000004
【図４】
0005452743.tif 000005
【図５】
0005452743.tif 000006
【図６】
0005452743.tif 000007